(57)【要約】      （修正有）【課題】家庭又は食堂等から出る生ゴミの醗酵容器を提供する。【解決手段】通気性を有する発酵袋１０容器本体２内に収納する発酵容器１であり、生ゴミ２０と生ゴミ分解微生物製剤２１を発酵袋１０に収納し、発酵袋１０を容器本体内に収納の多孔質体９に載置する。発酵袋１０で発酵させるには、発酵袋１０内の温度を保持する必要があると共に、好気性菌による発酵をさせるために必要な空気の供給が必要である。そこで、外気温に依存するが、係る条件を満たすような材料で容器本体を形成する。又、この容器本体２の上部には、持ち運びを容易にする吊り手３が付設してある。又、容器本体２には、ファスナーで閉鎖している蓋５が備えられ、この蓋５の材質はポリエチレン等の合成樹脂やその他の材質で通気性を有するもの（本例ではメッシュ網）であり、通気性と保温性を確保する。又、蓋５の隅部には、蓋の開閉をなす吊り手７が付設してある。【選択図】図１
0003183607.tif 000002
【実用新案登録請求の範囲】
【請求項１】
通気性を有する発酵袋を蓋付き容器本体内に収納して生ゴミを発酵させる発酵容器であって、
生ゴミと生ゴミ分解微生物製剤を前記発酵袋に収納し、
前記発酵袋を容器本体内に収納の多孔質体に載置することを特徴とする発酵容器。
【請求項２】
請求項１の発酵容器であって、
容器本体を通気性を有するメッシュ網で形成することを特徴とする発酵容器。
【請求項３】
請求項１又は請求項２の発酵容器であって、
発酵袋内中央の底に攪拌紐を取り付けることを特徴とする発酵容器。
【請求項４】
請求項１又は請求項２の発酵容器であって、
発酵袋の開口部の相対する箇所に吊り紐を取り付けると共に、発酵袋の底の相対する箇所に攪拌紐を取り付けることを特徴とする発酵容器。
【考案の詳細な説明】
【技術分野】
【０００１】
本願考案は、家庭又は食堂等から出る生ゴミを簡便に処理できる生ゴミの醗酵容器に関する。
【背景技術】
【０００２】
従来、家庭等からでる生ゴミの処理は、バケツ等に保管しておいて、ゴミ収集日にビニール袋に収納して廃棄物処理車によって処理しているし、又、近年、各家庭で処理可能な生ゴミ処理器を購入して、各家庭で処理をしている。
例えば、引用文献１には、醗酵容器の底部に吸水材を入れた通水性の吸水体を置き、その上に醗酵容器の側面に空隙を有する大きさの通気可能な醗酵袋を入れ、その醗酵袋の中に生ゴミと生ゴミ分解微生物製剤を入れて生ゴミの醗酵を可能とするものであり、必要な空気は空隙によって醗酵袋の下部にも行き渡り、醗酵によって生成の水は吸水材に吸収されて異臭発生を防止するというものである。
【先行技術文献】
【特許文献】
【０００３】
【特許文献１】特開平１０−２７７５２５号公報
【考案の概要】
【考案が解決しようとする課題】
【０００４】
しかしながら、前記引用文献１に開示の容器で生ゴミを発酵させても、異臭が発生し、必ずしも十分な発酵が行なわれていない。
そこで、本考案は、係る不都合を解消する発酵容器を提供するものである。
【課題を解決するための手段】
【０００５】
請求項１の発酵容器は、通気性を有する発酵袋を蓋付き容器本体内に収納して生ゴミを発酵させるに当たって、生ゴミと生ゴミ分解微生物製剤を前記発酵袋に収納し、該発酵袋を容器本体内に収納の多孔質体に載置する。
また、請求項２の発酵容器は、容器本体を通気性を有するメッシュ網で形成する。
また、請求項３の発酵容器は、発酵袋内中央の底に攪拌紐を取り付ける。
また、請求項４の発酵容器は、発酵袋の開口部の相対する箇所に吊り紐を取り付けると共に、発酵袋の底の相対する箇所に攪拌紐を取り付ける。
【考案の効果】
【０００６】
本願考案による生ゴミの発酵容器を使用すると、異臭の発生が無く、生ゴミを発酵させることができる。
【図面の簡単な説明】
【０００７】
【図１】発酵袋に生ゴミを投入して攪拌している状態を示す図である。
【図２】発酵袋を容器本体内に収納して発酵状態を示す図である。
【図３】他の形態の発酵袋の説明図である。
【考案を実施するための形態】
【０００８】
本願考案の一実施の形態を図を参照して説明する。図１は発酵容器の一部断面を示す正面である。
発酵容器１は容器本体２と発酵袋１０で構成され、容器本体２は、円柱体、角柱体等の箱状であり、通気性が僅かであるがダンボール紙で形成したり、、或いは、ポリエチレン等の合成樹脂やその他の材質で形成の、本例ではメッシュ網を用いて、通気性と保温性を確保している。
【０００９】
後述する発酵袋１０で発酵させるには、発酵袋１０内の温度を保持する必要があると共に、好気性菌による発酵をさせるために必要な空気の供給が必要である。そこで、外気温に依存するが、係る条件を満たすような材料で容器本体を形成する。又、この容器本体２の上部には、持ち運びを容易にする吊り手３が付設してある。
又、容器本体２には、ファスナーで閉鎖している蓋５が備えられ、この蓋５の材質はポリエチレン等の合成樹脂やその他の材質で通気性を有するもの（本例ではメッシュ網）であり、通気性と保温性を確保する。又、蓋５の隅部には、蓋の開閉をなす吊り手７が付設してある。
【００１０】
前記容器本体２の底には、トレー８が収納してあり、発酵時に生ずる結露水を貯水する。また、そのトレー８の上には、発酵袋１０を載置する吸水可能な多孔質体９である麦飯石、溶岩石、ピートモス、軽石、鹿沼土、赤玉土、ゼオライト、木炭粉、活性炭、もみがら炭、多孔質陶磁片等が載置してある。
尚、前記容器本体２に底がある場合には、トレー８はその底に載置すればよいが、底が無い場合には、トレー８の上に多孔質体９を載置して容器本体２を被せるように構成する。
【００１１】
次に、生ゴミ等を入れて発酵させる発酵袋１０は、ポリエチレン等の合成樹脂で通気性を有する材質（本例ではメッシュ網）で袋状に形成されているが、合成樹脂製の不織布、耐久性に劣るが綿、麻等で形成してもよい。
又、前記発酵袋１０の開口部の周縁には、発酵容器内で開口部を閉開させるための掛け紐１２が適宜の間隔で取り付けてあると共に、開口部を閉じる閉じ紐１５が取り付けてあるし、更に、発酵袋内中央の底には、攪拌紐１８が取り付けてあり、開口部の外から、操作できる長さにしてある。
【００１２】
次に、家庭等から出る生ゴミを発酵させる操作について説明すると、先ず、発酵袋１０を広げて、生ゴミ２０を開口部から投入すると共に、生ゴミ分解微生物製剤２１を投入した後に、図１に示すように、容器本体２内に収納し、掛け紐１２を容器本体２の周縁上に載せて、発酵袋１０の開口部を開口状態にする。
そして、攪拌紐１８を持って、昇降することによって、発酵袋の底が上下動することによって、前記投入した生ゴミ２０と生ゴミ分解微生物製剤２１は攪拌される。尚、前記攪拌紐１８による攪拌の他、発酵袋の開口部を閉鎖して、本体容器２の外で、手で揉みほぐしたりして攪拌しても良い。
【００１３】
また、前記生ゴミ分解微生物製剤２１には、パーライト、ラジオライト、ゼオラト等の多孔質体に好気性菌群である枯草菌、放線菌等、或いは通性嫌気性菌の酵母乳酸菌等を分散吸着し、米糠、ふすま、乾燥おから等を分散混合したもので構成されるが、使用に当たっては前記各成分を適宜選定して作成する。
【００１４】
そして、図２に示すように、前記発酵袋１０の開口部を閉じ紐１５で閉鎖し、発酵容器本体２に収納して、発酵袋１０を多孔質体９の上に載置する。そして、蓋５を閉めて放置すると、発酵袋１０内で、発酵が始まる。
この発酵は、本体容器２と蓋５を、例えばメッシュ網で形成してあると、本体容器２と蓋５の全体が通気性と保温を確保できるので、好気性菌に対する発酵が円滑に行なわれ、水分が生じて水蒸気として蓋５と本体容器２から排出すると共に、結露水は流下して吸水可能な多孔質体９で吸収されるし、発生量によりトレー８にも貯まるが、発酵袋１０内における発酵によって昇温すると、発酵袋底部の温度によっては、多孔質体９に吸水の水が蒸発し、容器本体内の温度と湿度が維持され、嫌気性菌による異臭発生が無い発酵ができる。
【００１５】
又、新たな生ゴミが生じたときには、その生ゴミを前記発酵袋１０に入れて、攪拌紐１８の昇降により攪拌した後に、図２に示すように、発酵袋１０の開口部を閉じ紐１５で閉鎖して、蓋５を閉めて放置すると、発酵袋１０内で、発酵が始まる。
尚、生ゴミ分解微生物製剤２１は、既に生ゴミを発酵させると発酵袋内に存在するので、新たに追加する必要はないが、必要なら投入し、攪拌した後に発酵させる。
【００１６】
次に、図３に示す発酵袋１０の材質は、前記と同様に、通気性を有する合成樹脂等のメッシュ網で形成したり、合成樹脂製の不織布、耐久性に劣るが綿、麻等で形成してある。
尚、この発酵袋１０は、前記発酵袋と異なり、同じ量の生ごみ２０を入れた状態において、図３（Ｂ）（Ｃ）に示すように、上部をひねることによって閉鎖可能な長さに形成してある。このひねりによる開口部の閉鎖は、開口部の周囲に取付けの閉じ紐１５で閉鎖するのに比して、容易に操作できる。
又、この発酵袋１０の開口部３０の相対する箇所には、リング状に形成の吊り紐３１が取り付けてある一方、発酵袋１０の底部の相対する箇所には、リング状に形成の攪拌紐３２が取り付けてある。
【００１７】
この発酵袋１０は、前記と同様に発酵容器２内に収納して、多孔質体９に載置して発酵させるが、生ゴミ２０を攪拌するときには、容器本体２から取り出して攪拌をする。
即ち、図３（Ｄ）に示すように、片方の吊り紐３１と攪拌紐３２をもち、攪拌紐３２を複数回、昇降させた後に、他方の吊り紐３１と攪拌紐３２に持ち替えて、攪拌紐３２を複数回、昇降させて、生ゴミの攪拌を行う。
このように吊り紐３１と攪拌紐３２によって、簡便に攪拌できる。
【００１８】
以上のように、新たに生じる生ゴミを、順次、発酵袋１０に入れて攪拌して、容器本体内の多孔質体９に載置して発酵させるが、容器本体２の全体が通気性と保温性を有しているので、発酵袋１０には十分な空気を供給することができ、好気性菌による発酵が行われ、嫌気性菌による異臭が発生しない発酵を行うことができる。
【符号の説明】
【００１９】
１  発酵容器
２  容器本体
８  トレー
９  多孔質体
１０  発酵袋
１８  攪拌紐
３０  開口部
３１  吊り紐
３２  攪拌紐
【図１】
0003183607.tif 000003
【図２】
0003183607.tif 000004
【図３】
0003183607.tif 000005